(57)【要約】 【課題】  水収容部分の洗浄の容易化を図った新規のコーヒーメーカーの提供を図る。【解決手段】  粉末コーヒーを供給するための容体部５とコーヒー抽出用水を貯水するための貯水槽部６とから成りかつ上面全体を開口面とするカセット状装填部材Ｍを、器体１の上方内部に着脱自在に装填するように構成する。【選択図】  図２
2013236704.tif 000002
【特許請求の範囲】
【請求項１】
粉末コーヒーを供給するための容体部(５)とコーヒー抽出用水を貯水するための貯水槽部(６)とから成りかつ上面全体を開口面とするカセット状装填部材(Ｍ)を、器体(１)の上方内部に着脱自在に装填するように構成したコーヒーメーカー。
【請求項２】
カセット状装填部材（Ｍ）の容体部(５)または貯水槽部(６)、若しくはその全体を透明資材で形成して成る請求項１に記載のコーヒーメーカー。
【請求項３】
器体（１）におけるカセット状装填部材(Ｍ)が装填される部位の形成材料として、当該カセット状装填部材(Ｍ)の容体部(５)が位置する部分、または、貯水槽部(６)が位置する部分、若しくはその両部分を、透明資材を用いるように構成した請求項１または請求項２の何れかに記載のコーヒーメーカー。
【請求項４】
粉末コーヒーを供給するための容体部（５)とコーヒー抽出用水を貯水するための貯水槽部(６)とから成りかつ上面全体を開口面とするカセット状装填部材(Ｍ)を、器体(１)の上方内部に着脱自在に装填するようにし、上記貯水槽部(６)の下方位置に、当該貯水槽部(６)から供給された水を沸騰状態に加熱するための加熱パイプ(９)を配設し、上記カセット状装填部材(Ｍ)を器体(１)に対して装填した際に、当該加熱パイプ(９)の始端が、貯水槽部(６)の底面に対して、連通可能に連結されるように構成した請求項１乃至請求項３の何れかに記載のコーヒーメーカー。
【請求項５】
前半部は粉末コーヒーを供給するための容体部(５)とし、後半部はコーヒー抽出用水を貯水するための貯水槽部(６)とし、かつ上面全体を開口面とするカセット状装填部材(Ｍ)を、器体(１)の上方内部に着脱自在に装填し、
上記貯水槽部(６)の下方位置に、当該貯水槽部(６)から供給された水を沸騰する程度まで加熱するための加熱パイプ(９)を配設し、
当該貯水槽部(６)の底面所要箇所に、閉鎖状態に保たれている逆止め弁(７)を具えた水供給口(６ａ)を設けると共に、器体(１)に対してカセット状装填部材(Ｍ)を装填させた際に、当該水供給口(６ａ)と加熱パイプ(９)の始端部の連通的連結がなされるように成し、
容体部（５）に対する熱水の供給を行うための熱水案内路(４ａ)を具えた天蓋(４)を、器体(１)に対して上面全体を覆うように後端部において開閉自在に蝶設し、
天蓋(４)の閉蓋状態において、その熱水案内路(４ａ)の始端部に係脱自在に連結させられかつその下端を上記加熱パイプ(９)の終端に連結させた沸騰水導出管(Ｃ)を、上記貯水槽部(６)を隔てて上方に至らせるための手段を、当該カセット状装填部材(Ｍ)の所要箇所に設けるよう構成した請求項１乃至請求項４の何れかに記載のコーヒーメーカー。
【請求項６】
熱湯導出管(Ｃ)を貯水槽部(６)の上方に至らせるための手段として、熱湯導出管(Ｃ)を貯水槽部(６)の底面から上方に向かって気密性を保った状態で貫くように構成した請求項５に記載のコーヒーメーカー。
【請求項７】
熱湯導出管(Ｃ)を貯水槽部(６)の下面側から上面側に至らせるための手段として、貯水槽部(６)の底面部所要箇所に鞘筒状部(６ｃ)を立設し、当該鞘筒状部(６ｃ)に対して沸騰水供給用管(Ｃ)を摺動自在に嵌入させ、当該沸騰水供給用管(Ｃ)の下端は逆止め弁８を介在させて加熱パイプ(９)の終端に連結すると共に、その上端は、天蓋(４)の閉蓋状態において、当該天蓋(４)に設けた熱水案内路(４ａ)の始端部に係脱自在に嵌入させるように構成した請求項５に記載のコーヒーメーカー。
【請求項８】
沸騰水供給用管(Ｃ)を貯水槽部(６)の上面側に至らせるための手段として、当該貯水槽部(６)の後部壁面に、当該後壁面部を内方に窪ませることに依って形成される縦凹溝(６ｄ)内に当該沸騰水供給用管(Ｃ)を位置させるように構成した請求項５に記載のコーヒーメーカー。
【発明の詳細な説明】
【技術分野】
【０００１】
本発明は、ドリップ用フィルターを介してコーヒーを入れるようにしたコーヒーメーカーに関する。
【背景技術】
【０００２】
従来のコーヒーメーカーは、器体に対して水収容用タンク部分を一体的に組み込むように形成したものであった（例えば、特許文献１参照。）。  すなわち、フィルター部分に対してドリップ用コーヒーをセットすると共に、水収容用タンク内に所要量の水を供給し、当該タンク内の水を加熱して熱湯化させたものを、当該フィルター部分に導くように構成したものである。
【０００３】
【特許文献１】特開２００８−３５９８０号公報
【発明の開示】
【発明が解決しようとする課題】
【０００４】
上記したような従来のコーヒーメーカーは、原則的に言えば、タンク内の水は加熱沸騰処理に基づき全てフィルター部分に供給されて、水の残存は存在しないように設定されている。
【０００５】
然し乍、実際には、当該タンク内にはその底面及び内壁等に付着水が残存し、これを拭き取ることはタンクの構造上殆ど不可能とした。  更に、タンク内に必要量以上に水を収容し、器体の作動を途中で止めた場合は、タンク内に多量の水が残存し、これを次回にコーヒー入れる際に再利用すると言うような使い方をする者もあり、この場合は多量の水が常時残存することとなる。
【０００６】
このように、タンク内に残った水は時間経過に伴い水質悪化を招くと共に、極端な場合は雑菌発生の温床となってしまう恐れも生じた。  更に、タンク内に水垢（水道水のカルキの固化付着）が溜まってしまうと言うような問題も伴った。
【０００７】
上記のような問題解消のために、残水処分の一つの対応として、器体を逆さまにして振る等の作業が考えられるが、器体自体の重量性の問題もあり、適切な作業とは称し得ないものである。  そして、このような作業を行ったとしても、タンク内壁に対する拭い取り的な処理は不可能であるため、残存水除去の完璧化を図ることが出来ず、更に、長期の使用に基づく付着水垢の除去にあっては全く不可能とされた。  従って、このような事柄は、コーヒーメーカーの衛生管理上、大きな問題とされた。
【０００８】
本発明は、このような従来の問題点の解消化を図った新規のコーヒーメーカーを提供するものである。
【課題を解決するための手段】
【０００９】
本発明は請求項１に記載のように、粉末コーヒーを供給するための容体部５とコーヒー抽出用水を貯水するための貯水槽部６とから成りかつ上面全体を開口面とするカセット状装填部材Ｍを、器体１の上方内部に着脱自在に装填するように構成したコーヒーメーカーに係る。
【００１０】
本発明は請求項２に記載のように、カセット状装填部材Ｍの容体部５または貯水槽部６、若しくはその全体を透明資材で形成して成る請求項１に記載のコーヒーメーカーを実施の態様とする。
【００１１】
本発明は請求項３に記載のように、器体１におけるカセット状装填部材Ｍが装填される部位の形成材料として、当該カセット状装填部材Ｍの容体部５が位置する部分、または、貯水槽部６が位置する部分、若しくはその両部分を、透明資材を用いるように構成した請求項１または請求項２の何れかに記載のコーヒーメーカーを実施の態様とする。
【００１２】
本発明は請求項４に記載のように、粉末コーヒーを供給するための容体部５とコーヒー抽出用水を貯水するための貯水槽部６とから成りかつ上面全体を開口面とするカセット状装填部材Ｍを、器体１の上方内部に着脱自在に装填し、上記貯水槽部６の下方位置に、当該貯水槽部６から供給された水を沸騰状態に加熱するための加熱パイプ９を配設し、上記カセット状装填部材Ｍを器体１に対して装填した際に、当該加熱パイプ９の始端が貯水槽部６の底面に対して、連通可能に連結されるように構成した請求項１乃至請求項３の何れかに記載のコーヒーメーカーを実施の態様とする。
【００１３】
本発明は請求項５に記載のように、前半部は粉末コーヒーを供給するための容体部５とし、後半部はコーヒー抽出用水を貯水するための貯水槽部６とし、かつ上面全体を開口面とするカセット状装填部材Ｍを、器体１の上方内部に着脱自在に装填し、上記貯水槽部６の下方位置に、当該貯水槽部６から供給された水を沸騰する程度まで加熱するための加熱パイプ９を配設し、当該貯水槽部６の底面所要箇所に、閉鎖状態に保たれている逆止め弁７を具えた水供給口６ａを設けると共に、器体１に対してカセット状装填部材Ｍを装填させた際に、当該水供給口６ａと加熱パイプ９の始端部の連通的連結がなされるように成し、容体部５に対する熱水の供給を行うための熱水案内路４ａを具えた天蓋４を、器体１に対して上面全体を覆うように後端部において開閉自在に蝶設し、天蓋４の閉蓋状態において、その熱水案内路４ａの始端部に係脱自在に連結させられかつその下端を上記加熱パイプ９の終端に連結させた沸騰水導出管Ｃを、上記貯水槽部６を隔てて上方に至らせるための手段を、当該カセット状装填部材Ｍの所要箇所に設けるように構成した請求項１乃至請求項４の何れかに記載のコーヒーメーカーを実施の態様とする。
【００１４】
本発明は請求項６に記載のように、熱湯導出管Ｃを貯水槽部６の上面側に至らせるための手段として、熱湯導出管Ｃを貯水槽部６の底面から上方に向かって気密性を保った状態で貫くように構成した請求項５に記載のコーヒーメーカーを実施の態様とする。
【００１５】
本発明は請求項７に記載のように、熱湯導出管Ｃを貯水槽部６の下面側から上面側に至らせるための手段として、貯水槽部６の底面部所要箇所に鞘筒状部６ｃを立設し、当該鞘筒状部６ｃに対して沸騰水供給用管Ｃを摺動自在に嵌入させ、当該沸騰水供給用管Ｃの下端は逆止め弁８を介在させて加熱パイプ９の終端に連結すると共に、その上端は、天蓋４の閉蓋状態において、当該天蓋４に設けた熱水案内路４ａの始端部に係脱自在に嵌入させるように構成した請求項５に記載のコーヒーメーカーを実施の態様とする。
【００１６】
本発明は請求項８に記載のように、沸騰水供給用管Ｃを貯水槽部６の上面側に至らせるための手段として、当該貯水槽部６の後部壁面に、当該後壁面部を内方に窪ませることに依って形成される縦凹溝６ｄ内に当該沸騰水供給用管Ｃを位置させるように構成した請求項５に記載のコーヒーメーカーを実施の態様とする。
【発明の効果】
【００１７】
本発明は請求項１に記載のような構成、すなわち、粉末コーヒーを供給するための容体部５とコーヒー抽出用水を貯水するための貯水槽部６とから成りかつ上面全体を開口面とするカセット状装填部材Ｍを、器体１の上方内部に着脱自在に装填するように構成することに依り、コーヒーメーカーの洗浄作業は、取り外したカセット状装填部材Ｍの洗浄及び乾燥を行えば良く、従って、極めて手入れのし易いものとされる。
【００１８】
すなわち、従来のコーヒーメーカーであると、タンクが内蔵されているため、タンク内の残留水の処理の煩雑性、並びに内部清掃の不能性と言うような問題が生じた。  また、無理に洗浄作業を行おうとしても、器体は電気製品であるため、不用意に水洗いした場合、器体の故障原因を発生させてしまう恐れが存在した。  本発明は、このような問題を全く解消することとなる。
【００１９】
更に、本発明に依れば、粉末コーヒーを供給するための容体部５とコーヒー抽出用水を貯水するための貯水槽部６とが一体化されているため、既述したような洗浄作業の容易性が図られると同時に、その形態軽量にして持ちやすい形態であるため、従来のように器体全体をもって行うものに比して、その作業性の著しい簡便化が図られる。  更に、コーヒーの抽出時における粉状コーヒーと水との配分が比べられる状態で可視化されているため、コーヒーの味（例えば味の濃淡）に対する調節も一見して確認可能とされるため、嗜好に合った味を楽しむことができる。
【００２０】
本発明は請求項２に記載のような構成、すなわち、カセット状装填部材Ｍの容体部５または貯水槽部６、若しくはその全体を透明資材で形成することに依り、当該カセット状装填部材Ｍに対する容体部５内の粉末コーヒーの収容状態、または、同貯水槽部６内に対する水の収容状態、若しくは、その両方の状態の確認が、極めて見やすい状態で行われることとなる。
【００２１】
本発明は請求項３に記載のような構成、すなわち、器体１におけるカセット状装填部材Ｍが装填される部位の形成材料として、当該カセット状装填部材Ｍの容体部５が位置する部分、または、貯水槽部６が位置する部分、若しくはその両部分を、透明資材を用いるように構成することに依り、コーヒーの抽出中、そのフィルターに依る抽出状態の確認、または、貯水量の減少推移の確認（抽出完了までの時間的概算の確認）、若しくはその両方の確認が一見して判明することが可能化される。
【００２２】
本発明は、請求項４記載のような構成、すなわち、粉末コーヒーを供給するための容体部５とコーヒー抽出用水を貯水するための貯水槽部６とから成りかつ上面全体を開口面とするカセット状装填部材Ｍを、器体１の上方内部に着脱自在に装填し、上記貯水槽部６の下方位置に、当該貯水槽部６から供給された水を沸騰状態に加熱するための加熱パイプ９を配設し、上記カセット状装填部材Ｍを器体１に対して装填した際に、当該加熱パイプ９の始端が、貯水槽部６の底面に対して、連通可能に連結されるように構成したから、使用後の清掃作業が極めて簡単に達成される。
【００２３】
何故ならば、従来のコーヒーメーカーは既述した通り、そのタンク内の残留水分の除去、カルキ等の付着物の除去は殆ど不可能とされたが、本発明にあっては、カセット状装填部材Ｍを器体１から外すことに依り、その全体的洗浄、並びに、拭き取り作業が簡単に行われるからである。  そして、カセット状装填部材は容体部５と貯水槽部６を含めてその上面全体が開口面とされているため、その洗浄及び拭き取り作業が極めて迅速かつ簡便になされることと成り、コーヒーメーカーの使用を、顕著な衛生性を保持した状態で行うことが可能化される。
【００２４】
本発明は、請求項５に記載のような構成を採用したから、請求項１及び請求項２で述べたものと同様な作用効果を奏することが出来る。  更に、「貯水槽部６の底面所要箇所に、閉鎖状態に保たれている逆止め弁７を具えた水供給口６ａを設けると共に、器体１に対してカセット状装填部材Ｍを装填させた際に、当該水供給口６ａと加熱パイプ９の始端部の連通的連結がなされるように成し」たから、カセット状装填部材Ｍと器体１との水供給作動経路の接続が、単なる装填作業に基づき自動的になされるため、コーヒーメーカーとしての使用上、何らの煩雑性を伴うことがない。
【００２５】
また、「天蓋４の閉蓋状態において、その熱水案内路４ａの始端部に係脱自在に連結させられかつその下端を上記加熱パイプ９の終端に連結させた沸騰水導出管Ｃを、上記貯水槽部６を隔てて上方に至らせるための手段を、当該カセット状装填部材Ｍの所要箇所に設けるように構成した」から、別体部材であるカセット状装填部材Ｍが存在するにも拘わらず、従来の基本的機能である「沸騰水を天蓋側に供給する」という機能を、何ら阻害することがなく行わせることが出来る。
【００２６】
本発明は、請求項６に記載のような構成、すなわち、熱湯導出管Ｃを貯水槽部６の上面側に至らせるための手段として、熱湯導出管Ｃを貯水槽部６の底面から上方に向かって気密性を保った状態で貫くように構成することに依り、上述した「沸騰水を天蓋側に供給する」という機能性の達成が図られる。
【００２７】
本発明は、請求項７に記載のような構成、すなわち、熱湯導出管Ｃを貯水槽部６の下面側から上面側に至らせるための手段として、貯水槽部６の底面部所要箇所に鞘筒状部６ｃを立設し、当該鞘筒状部６ｃに対して沸騰水供給用管Ｃを摺動自在に嵌入させ、当該沸騰水供給用管Ｃの下端は逆止め弁８を介在させて加熱パイプ９の終端に連結すると共に、その上端は、天蓋４の閉蓋状態において、当該天蓋４に設けた熱水案内路４ａの始端部に係脱自在に嵌入させるように構成することに依り、請求項５に記載した事柄の具体的達成が図られる。
【００２８】
本発明は、請求項８に記載のような構成、すなわち、沸騰水供給用管Ｃを貯水槽部６の上面側に至らせるための手段として、当該貯水槽部６の後部壁面に、当該後壁面部を内方に窪ませることに依って形成される縦凹溝６ｄ内に当該沸騰水供給用管Ｃを位置させるように構成することに依り、前述した「沸騰水を天蓋側に供給する」という機能性の達成が著しく簡易な形態での実行が果たされる。  すなわち、カセット状装填部材Ｍの装填作業が沸騰水供給用管Ｃと関係なく、すなわち、請求項７に記載のような構成の場合は、カセット状装填部材Ｍの着脱の度に、筒状部６ｃに対する騰水供給用管Ｃの差込み及び抜取り操作を必要としたが、本構成の場合はこのような煩雑な作業が全く不要化される。
【発明を実施するための最良の形態】
【００２９】
本発明に係るコーヒーメーカーは、原則として、一人用である一杯のコーヒーを入れるための小型なコーヒーメーカーを対象とする。
【００３０】
図１乃至４は発明の１実施例を表したものであって、１は器体、２は器体１の前面に形成たしカップ載置用空所であって、当該部分に載置したコーヒーカップＡに対して、その上方に位置する供給用パイプ３から抽出コーヒーの滴下が成されるように構成してある。
【００３１】
４は器体１の後端において開閉自在に取り付けた天蓋であって、その内部には、沸騰状態にある熱湯を当該天蓋４の後方から上記パイプ３の上方位置まで導くための熱水案内路４ａを形成してある。
【００３２】
なお、以上述べたようなこのような構成は、既存のコーヒーメーカーが具えている公知技術に属する。
【００３３】
Ｍは器体１の内部に着脱自在に収装するためのカセット状装填部材であって、本発明の骨子的な構成部材とするものであり、下記のような構成を具えたものである。
【００３４】
当該カセット状装填部材Ｍであるが、前半部分は粉末コーヒーを供給するための容体部５とし、後半部分はコーヒー抽出用水を入れておくための貯水槽部６とし、かつ、その上面全体を開放面とするように構成してある。  そして、その全体は樹脂または金属材料、若しくは両者の組み合わせに基づき形成してあるが、何れにせよ、溶体部５と貯水槽部６とが一体化されて当該装填部材Ｍは独立した一つの部材とした形態を具えたものとすることが重要である。
【００３５】
なお、図示の実施例にあっては、容体部５内にドリップ用フィルターＢ（図２に鎖線で示してある。）を収容するように示してあるが、当該フィルターＢに代えて、フィルター内に粉状コーヒーを予めセットしてある所謂カセットコーヒーを収容するようにして使用することも可能であり、更には、フィルターを用いることなく、当該構成部５内に直接粉末コーヒーを入れてドリップ的抽出を図るような使用形態を採ることも可能である。  このようなコーヒーの具体的抽出手段は、使用者の自主的判断に委ねる事柄に属し、本発明自体は何れにも対応可能とする。
【００３６】
ところで、前述したカセット状装填部材Ｍ及びこれを装填するための器体１であるが、これは下記のような形態で実施する場合もある。
まず、カセット状装填部材Ｍであるが、これは、その容体部５または貯水槽部６、若しくはその全体を透明資材で形成する様にする。  これにより、当該カセット状装填部材Ｍに対する容体部５内の粉末コーヒーの収容状態、または、同貯水槽部６内に対する水の収容状態、若しくは、その両方の状態の確認が、極めて見やすい状態で行われることとなる。
【００３７】
次に、器体１であるが、これは、器体１におけるカセット状装填部材Ｍが装填される部位の形成材料として、当該カセット状装填部材Ｍの容体部５が位置する部分、または、貯水槽部６が位置する部分、若しくはその両部分を、透明資材を用いるように構成する。  これにより、コーヒーの抽出中、そのフィルターに依る抽出状態の確認、または、貯水量の減少推移の確認（抽出完了までの時間的概算の確認）、若しくはその両方の確認が一見して判明させることが可能化される。
【００３８】
本発明は上記のような形態で実施する場合もある。
【００３９】
次に、前述した貯水槽部６であるが、その底面部所要箇所には、逆止め弁７を具えた水供給口６ａを設けると共に、後述する熱湯導出管Ｃを挿通させるための鞘筒状部６ｃが、貯水槽部６の底面を貫通させた状態でその内部に立設させてある。  
【００４０】
９は貯水槽部６の真下に位置する様に器体１内に設けた加熱用導水パイプであって、これの内部に取り込んだ水を沸騰状態に加熱するためのものである。  なお、当該加熱のための手段としては、図面においては省略してあるが、外部に設けた電熱ヒーターに依るか、或いは当該パイプ内に収装した電熱線ヒーターに依る等、任意な手段を用いるものとする。
【００４１】
そして、本発明にあっては、上記加熱のための手段に対する限定性はなく、既存の技術において対応可能とするものである。
【００４２】
上述した加熱用導水パイプ９であるが、これは図示の実施例にあってはＵ字状を呈し、その始端及び終端が夫々上方に向けられるように構成してある。  そして、カセット状装填部材Ｍをセットした際には、当該カセット状装填部材Ｍの押し込み力に基づき、当該加熱用導水パイプ９の始端部に対してその供給口６ａが連結させられると同時に、当該押し込み力に基づき、逆止め弁７を同時的に開くように構成してある。
【００４３】
そして、上記した水供給用逆止め弁７は供給方向（図２に矢印で示す方向）への水流通を許容化するためのものである。  従って、カセット状装填部材Ｍを取り出した状態で貯水槽部６内に水を入れた場合、当該逆止め弁７が閉鎖状態に保たれているため、当該貯水槽部６は容器とし機能する。  そして、当該カセット状装填部材Ｍを器体１にセットした際には、前述した作用に基づき逆止め弁７が開き、加熱用導水パイプ９内に対する連結が図られ、水流入が可能化されるように構成してある。
【００４４】
Ｃは熱湯導出管であって、既述した鞘筒状部６ｃ内に摺動自在に嵌入させてある。  そして、その上端は、天蓋４に設けられている案内路４ａの始端部に対して係脱自在（天蓋４を閉めた際の密閉力が働いた際に、両者の連通的連結が図られるような係脱自在）に突入させられるように構成してある。  更にその下端は、上述した加熱用導水パイプ９の終端部に対して逆止め弁８を介して連結させてある。  そして、当該逆止め弁８は通常は閉鎖状態に保たれているが、天蓋４を閉めた際に働く熱湯導出管Ｃに対する押し下げ力に基づき、その解放が図られるように構成してある。  なお、図２に矢印で示す方向は許容化された流れの方向を示すものである。
【００４５】
ところで、当該熱湯導出管Ｄ部分に関する形態として図１乃至図４に示すものは１実施例に過ぎず、本発明における絶対条件ではない。  すなわち、本発明においては、加熱用導水パイプ９の終端部と、天蓋４に設けられている案内路４ａの始端部とを連結する手段として熱湯導出管Ｃを用いる関係上、当該熱湯導出管Ｃを貯水槽部６の底面から上方に向かって気密性を保った状態で貫くように構成する（既述したような図１乃至図４に示すような構成）ことを一つの手段とする。
【００４６】
然し乍、これ以外の手段、例えば、図５または図６に示すような形態、すなわち、貯水槽部６の後部壁面に一部を内方に窪ませることに依って形成される縦凹溝６ｄの部分内に熱湯導出管Ｃを位置させるような構成を採ることも可能である。  すなわち、貯水槽部６の存在を避けた状態で熱湯導出管Ｃの既述の連結形態が可能化されるものであればよいわけである。  換言すれば、貯水槽部６の存在が熱湯導出管Ｃの連結上邪魔にならない形態であれば如何なるものであっても可とする。
【００４７】
すなわち、本発明の骨子は、容体部５と水槽部６とを一体的に形成したカセット状装填部材Ｍを器体に対して着脱自在に装填する様に構成したことを１義的な構成とし、前述したような熱湯導出管Ｃの取付け形態は２義的にして付加的な構成に属するものである。
【００４８】
なお、図５及び図６に示す実施例にあっては、カセット状装填部材Ｍ自体の形状の異なるものを示してある。  すなわち、本発明にあっては、カセット状装填部材として容体部６と水槽部６を合体化した形態事態を要旨構成とするものであり、その全体的形状は、当然ながら、コーヒーメーカーの器体自体の形状かつ形態に即応したものとする。
【００４９】
本発明の使用に際しては、図２に示す様に器体１に対してカセット状装填部材Ｍを装填し、容体部５には粉末コーヒーをセットすると共に、水槽部６内を所要量の水で満たす。  このような装填、及び天蓋４の閉蓋操作に基づく押圧力付与に基づき、既述したように、水槽部６、加熱用導水パイプ９、熱湯導出管Ｃ、天蓋４に設けられている案内路４ａの各連結が果たされる。
【００５０】
これにより、水槽部６内の水は加熱用導水パイプ９に供給されて加熱され、沸騰に基づく上昇力により熱湯導出管Ｃを経て天蓋４の案内路４ａに導かれ、そして、容体部５内に滴下させられることとなる。  これにより、コーヒーのドリップ的抽出がなされ、コーヒーカップＡを満たすこととなる。
【００５１】
コーヒーを入れた後は、カセット状装填部材Ｍを取り外して洗浄を施し、再び器体１に戻しておくことに依り、続いての使用に対する準備状態におかれる。
【図面の簡単な説明】
【００５２】
【図１】本発明に係るコーヒーメーカーの側面図である。
【図２】同上説明用縦断側面図である。
【図３】本発明の骨子部材であるカセット状装填部材Ｍを表した斜視図である。
【図４】逆止め弁部分を表した説明用略図である。
【図５】カセット状装填部材Ｍの他の実施例を表した平面図である。
【図６】カセット状装填部材Ｍのもう一つの他の実施例を表した平面図である。
【符号の説明】
【００５３】
１  器体
２  カップ載置用空所
Ａ  コーヒーカップ
Ｂ  フィルター
３  供給用パイプ
４  天蓋
４ａ熱水案内路
Ｍ  カセット状装填部材
５  容体部
６  貯水槽部
６ａ 水供給口
６ｂ 熱湯導出管挿通用口
６ｃ 鞘筒状部
６ｄ 縦凹溝
７  逆止め弁
８  逆止め弁
９  加熱用導水パイプ
Ｃ  沸騰水供給用管
【図１】
2013236704.tif 000003
【図２】
2013236704.tif 000004
【図３】
2013236704.tif 000005
【図４】
2013236704.tif 000006
【図５】
2013236704.tif 000007
【図６】
2013236704.tif 000008